(57)【要約】【課題】日本語が分からない顧客に対して、その顧客が理解可能な言語でレシートを印刷できるようにする。【解決手段】商品コード入力部５０はバーコードスキャナー１４やキーボード１２から入力された商品コードを取得する。言語設定部５９は、国番号読み取り部５８が携帯情報端末から読み取った国番号に基づいて、レシート印刷用の言語を選択させる。商品データ取得部６０は、入力された商品コードについて、言語設定部５９により設定した言語での商品名およびその価格を取得し、会計処理部５２は、それら商品名および価格に基づいて会計処理を行う。会計処理が終了すると、印刷データ作成部５４が、レシート印刷用言語での商品名を用いてレシート印刷データを作成し、プリンター１７へ出力する。【選択図】図４
2012208770.tif 000002
【特許請求の範囲】
【請求項１】
商品の識別情報を取得する商品コード入力部と、
携帯情報端末に登録されている前記携帯情報端末の契約者の電話番号から国番号を読み取る国番号読み取り部と、
前記国番号読み取り部で読み取った前記国番号に基づいて、レシートの印刷に用いる言語を設定する言語設定部と、
前記商品コード入力部で取得した前記識別情報で特定される前記商品について、前記言語設定部で設定された言語での商品名を取得する商品データ取得部と、
前記商品データ取得部で取得した前記商品名に基づいて、レシート印刷用の印刷データを作成する印刷データ作成部と、
前記印刷データ作成部で作成した前記印刷データをプリンターへ出力する印刷データ出力部と、を備えることを特徴とするレシートデータ処理装置。
【請求項２】
前記商品データ取得部は、前記識別情報と、前記言語設定部で設定された前記言語での前記商品名とが対応付けて記録されたデータベースを参照して、前記言語設定部で設定された前記言語での前記商品名を取得することを特徴とする請求項１に記載のレシートデータ処理装置。
【請求項３】
前記商品データ取得部は、前記言語設定部の設定した前記言語が前記データベースになかった場合、英語の商品名を取得することを特徴とする請求項１または２に記載のレシートデータ処理装置。
【請求項４】
前記印刷データ作成部は、前記言語設定部で設定された前記言語と通常印刷言語とを併記して前記印刷データを作成することを特徴とする請求項１乃至３のいずれか一項に記載のレシートデータ処理装置。
【請求項５】
前記言語設定部で設定された前記言語の各文字についてフォントデータが記憶されたフォント記憶部を備え、
前記印刷データ作成部は、前記レシートに印刷すべき各文字について前記フォント記憶部から読み出した前記フォントデータに基づいて前記印刷データを作成することを特徴とする請求項１乃至４のいずれか一項に記載のレシートデータ処理装置。
【請求項６】
携帯情報端末を用いてレシートの印刷データを作成するレシートデータ処理方法であって、
（１）商品の識別情報を取得する商品コード入力ステップと、
（２）前記携帯情報端末に登録されている前記携帯情報端末の契約者の電話番号から国番号を読み取る国番号読み取りステップと、
（３）前記国番号読み取りステップで読み取った前記国番号に基づいて、前記レシートの印刷に用いる言語を設定する言語設定ステップと、
（４）前記商品コード入力ステップで取得した前記識別情報で特定される前記商品について、前記言語設定ステップで設定された前記言語での商品名を取得する商品データ取得ステップと、
（５）前記商品データ取得ステップで取得した前記商品名に基づいて、前記レシートに印刷される前記印刷データを作成する印刷データ作成ステップと、
（６）前記印刷データ作成ステップで作成された前記印刷データをプリンターへ出力する印刷データ出力ステップと、を備えることを特徴とするレシートデータ処理方法。
【請求項７】
前記商品データ報取得ステップは、前記識別情報と、前記言語設定ステップで設定された前記言語での前記商品名とが対応付けて記録されたデータベースを参照して、前記言語設定ステップで設定された前記言語での前記商品名を取得することを特徴とする請求項６に記載のレシートデータ処理方法。
【請求項８】
前記商品データ取得ステップは、前記言語設定ステップで設定した前記言語が前記データベースになかった場合、英語の商品情報を取得することを特徴とする請求項６または７に記載のレシートデータ処理方法。
【請求項９】
前記印刷データ作成ステップは、前記言語設定ステップで設定された前記言語と通常印刷言語と併記して前記印刷データを作成することを特徴とする請求項６乃至８いずれか一項に記載のレシートデータ処理方法。
【発明の詳細な説明】
【技術分野】
【０００１】
本発明は、店舗のレジ等において印刷されるレシートのレシートデータ処理装置及びレシートデータ処理方法に関する。
【背景技術】
【０００２】
近年、在日外国人の増加に伴って、各種店舗における外国人顧客に対するサービス向上の観点から、日本語以外の言語でレシートを発行できることが望まれるようになっている。かかる要望に応えるべく、レシートを日本語以外の言語で印刷することが可能なＰＯＳ端末が開示されている。このＰＯＳ端末では、外国語で表された商品名をＪＡＮコードに対応付けて商品マスタファイルに格納しておき、この商品マスタファイルから外国語の商品名を抽出してレシートの該当欄に印字している（例えば、特許文献１参照）。
【先行技術文献】
【特許文献】
【０００３】
【特許文献１】特開２０００−１８２１５０号公報
【発明の概要】
【発明が解決しようとする課題】
【０００４】
ところで、我国には多くの国の外国人が在留しており、使用される言語も、英語、中国語、韓国語など様々である。したがって、外国語でレシートを発行するとしても、複数の外国語に対応可能として、レシート印刷に使用する言語をその都度選択できるようにしておかなければ、外国語で発行したレシートを顧客が理解できない可能性がある。
【０００５】
しかしながら、上記従来のレシート印刷装置では、レシート印刷に使用する言語を選択することについては何ら開示されていない。そして、言語の選択をレジのオペレーターが行うものとすると、オペレーターは、会計処理の都度、外国人と思われる顧客にレシート使用言語を尋ねなければならない。この場合、オペレーターが少なくとも英語を話せなければ、顧客が望む言語を適切に選択することができないことになる。
【０００６】
一方、ＮＦＣ（Ｎｅａｒ  Ｆｉｅｌｄ  Ｃｏｍｍｕｎｉｃａｔｉｏｎ）規格に対応した携帯電話を用いて、店舗にて商品を購入した際の支払い手段として使用されるケースが増えてきた。携帯電話にはＳＩＭカード（Ｓｕｂｓｃｒｉｂｅｒ  Ｉｄｅｎｔｉｔｙ  Ｍｏｄｕｌｅ、加入者識別モジュール）が搭載されていて、その中には携帯電話の契約者の電話番号や携帯事業者の情報、或いは電話帳などのデータが記録されているので、記録されている電話番号の国番号から、どこの国で使用されている携帯電話か認識することが可能となっている。
【０００７】
本発明は上記の点に鑑みてなされたものであり、日本語が分からない顧客に対して、店舗にて商品を購入した際の支払い手段として携帯電話を用いた場合、その携帯電話に記録されている電話番号（国番号）から顧客がどこに居住しているか（どこで携帯電話を購入したか）判断して、その顧客が理解可能な言語でレシートを印刷することが可能なレシートデータ処理装置、そのレシートデータ処理制御方法を提供することを目的とする。
【課題を解決するための手段】
【０００８】
（適用例１）商品の識別情報を取得する商品コード入力部と、携帯情報端末に登録されている前記携帯情報端末の契約者の電話番号から国番号を読み取る国番号読み取り部と、前記国番号読み取り部で読み取った前記国番号に基づいて、レシートの印刷に用いる言語を設定する言語設定部と、前記商品コード入力部で取得した前記識別情報で特定される前記商品について、前記言語設定部で設定された言語での商品名を取得する商品データ取得部と、前記商品データ取得部で取得した前記商品名に基づいて、レシート印刷用の印刷データを作成する印刷データ作成部と、前記印刷データ作成部で作成した前記印刷データをプリンターへ出力する印刷データ出力部と、を備えることを特徴とするレシートデータ処理装置。
【０００９】
（適用例２）前記商品データ取得部は、前記識別情報と、前記言語設定部で設定された前記言語での前記商品名とが対応付けて記録されたデータベースを参照して、前記言語設定部で設定された前記言語での前記商品名を取得することを特徴とする上記のレシートデータ処理装置。
【００１０】
これらの構成によれば、顧客が店舗で商品を購入し、その支払いの手段として携帯電話などの携帯情報端末を使用した際に、携帯情報端末に記録されている電話番号の国番号を読み取って、読み取った国番号からレシートの印刷に用いる言語を設定し、設定された言語の商品名を用いてレシートを印刷するので、日本語が理解できない顧客にも理解可能なレシートを発行できる。また、オペレーターが日本語しか話せない場合であっても、顧客に理解可能な言語でのレシート印刷を行うことができる。したがって、本実施形態によれば、外国人顧客に対するサービスを向上して、顧客の満足度を高めることができる。
【００１１】
（適用例３）前記商品データ取得部は、前記言語設定部の設定した前記言語が前記データベースになかった場合、英語の商品名を取得することを特徴とする上記のレシートデータ処理装置。
【００１２】
この構成によれば、言語設定部の設定した言語がデータベースになかった場合でも、英語表記のレシートが発行されるため、日本語よりも理解しやすいレシートを印刷することができる。
【００１３】
（適用例４）前記印刷データ作成部は、前記言語設定部で設定された前記言語と通常印刷言語とを併記して前記印刷データを作成することを特徴とする上記のレシートデータ処理装置。
【００１４】
この構成によれば、通常印刷言語（ここで言う「通常印刷言語」とは、レシートデータ処理装置が使用される国、地域で通常使用されている言語のことを指す。）と、前記言語設定部で設定された言語の双方によるレシート印刷が可能となるので、顧客が理解しやすいレシートを印刷することができる。
【００１５】
（適用例５）前記言語設定部で設定された前記言語の各文字についてフォントデータが記憶されたフォント記憶部を備え、前記印刷データ作成部は、前記レシートに印刷すべき各文字について前記フォント記憶部から読み出した前記フォントデータに基づいて前記印刷データを作成することを特徴とする上記のレシートデータ処理装置。
【００１６】
この構成によれば、プリンター側に各言語の文字のフォントを持たせることが不要となるので、汎用的なプリンターを用いることができ、また、言語を追加する場合にもプリンター側の変更を不要にできる。したがって、ＰＯＳ端末のシステムとしての柔軟性・拡張性を高めることが可能となっている。
【００１７】
（適用例６）携帯情報端末を用いてレシートの印刷データを作成するレシートデータ処理方法であって、（１）商品の識別情報を取得する商品コード入力ステップと、（２）前記携帯情報端末に登録されている前記携帯情報端末の契約者の電話番号から国番号を読み取る国番号読み取りステップと、（３）前記国番号読み取りステップで読み取った前記国番号に基づいて、前記レシートの印刷に用いる言語を設定する言語設定ステップと、（４）前記商品コード入力ステップで取得した前記識別情報で特定される前記商品について、前記言語設定ステップで設定された前記言語での商品名を取得する商品データ取得ステップと、（５）前記商品データ取得ステップで取得した前記商品名に基づいて、前記レシートに印刷される前記印刷データを作成する印刷データ作成ステップと、（６）前記印刷データ作成ステップで作成された前記印刷データをプリンターへ出力する印刷データ出力ステップと、を備えることを特徴とするレシートデータ処理方法。
【００１８】
（適用例７）前記商品データ報取得ステップは、前記識別情報と、前記言語設定ステップで設定された前記言語での前記商品名とが対応付けて記録されたデータベースを参照して、前記言語設定ステップで設定された前記言語での前記商品名を取得することを特徴とする上記のレシートデータ処理方法。
【００１９】
これらの方法によれば、顧客が店舗で商品を購入し、その支払いの手段として携帯電話などの携帯情報端末を使用した際に、携帯情報端末に記録されている電話番号の国番号を読み取って、読み取った国番号からレシートの印刷に用いる言語を設定し、設定された言語の商品名を用いてレシートを印刷するので、日本語が理解できない顧客にも理解可能なレシートを発行できる。また、オペレーターが日本語しか話せない場合であっても、顧客に理解可能な言語でのレシート印刷を行うことができる。したがって、本実施形態によれば、外国人顧客に対するサービスを向上して、顧客の満足度を高めることができる。
【００２０】
（適用例８）前記商品データ取得ステップは、前記言語設定ステップで設定した前記言語が前記データベースになかった場合、英語の商品情報を取得することを特徴とする上記のレシートデータ処理方法。
【００２１】
この方法によれば、言語設定部の設定した言語がデータベースになかった場合でも、英語表記のレシートが発行されるため、日本語よりも理解しやすいレシートを印刷することができる。
【００２２】
（適用例９）前記印刷データ作成ステップは、前記言語設定ステップで設定された前記言語と通常印刷言語と併記して前記印刷データを作成することを特徴とする上記のレシートデータ処理方法。
【００２３】
この方法によれば、通常印刷言語（ここで言う「通常印刷言語」とは、レシートデータ処理装置が使用される国、地域で通常使用されている言語のことを指す。）と、前記言語設定部で設定された言語の双方によるレシート印刷が可能となるので、顧客が理解しやすいレシートを印刷することができる。
【図面の簡単な説明】
【００２４】
【図１】本実施形態のＰＯＳ端末の外観を示す図。
【図２】本実施形態のＰＯＳ端末の構成を示すブロック図。
【図３】商品マスターテーブルの一例を示す図。
【図４】本実施形態のＰＯＳ端末の機能ブロック図。
【図５】本実施形態においてＣＰＵが実行する会計処理の内容を表すフローチャート。
【図６】本実施形態においてＣＰＵが実行するレシート印刷処理の内容を表すフローチャート。
【図７】レシート使用言語が日本語の場合に印刷されたレシートの例を示す図。
【図８】レシート使用言語が英語の場合に印刷されたレシートの例を示す図。
【図９】レシート使用言語が日本語と英語が併記された場合に印刷されたレシートの例を示す図。
【図１０】本実施形態においてＣＰＵが実行する言語設定処理の内容を表すフローチャート。
【発明を実施するための形態】
【００２５】
以下、本発明の実施形態について、図面を参照して説明する。なお、以下の各図においては、説明をわかりやすくするために、細部を省略したり、実際の尺度と異ならせて図示する場合がある。
【００２６】
図１は本発明の一実施形態であるＰＯＳ端末１０の外観を示す図であり、同図（ａ）はＰＯＳ端末１０の正面側（オペレーターが操作する側）の斜視図を、また、同図（ｂ）はＰＯＳ端末１０の背面側（顧客に向けられた側）の斜視図を、夫々表している。ＰＯＳ端末１０は、コンビニエンスストアやスーパーマーケット等の店舗の会計レジに設置され、オペレーターの操作に応じて会計処理およびレシート発行処理を行う。
【００２７】
図１（ａ），（ｂ）に示す如く、ＰＯＳ端末１０は、キーボード１２、オペレーター向けのディスプレイ１３、キャッシュドロワー１５、携帯情報端末読み取り機１６、プリンター１７、カードリーダー１８等を備えている。さらに、ＰＯＳ端末１０は、図１には不図示のバーコードスキャナー１４を備えており、会計レジのオペレーターは、このバーコードスキャナー１４で商品のバーコードを読み取ることにより、または、キーボード１２を操作することにより、商品の識別情報（以下、商品コードという）をＰＯＳ端末１０へ入力する。また、複数の同一商品についてはその個数をキーボード１２から入力する。
【００２８】
携帯情報端末読み取り機１６は、商品の購入の際に、ここに携帯情報端末をかざすことで支払いができるようになっている。さらに、後に詳細に述べるように、携帯情報端末に記録されている電話番号の国番号から自動的に顧客の理解可能な言語でのレシート印刷ができるようになっている。
【００２９】
オペレーターは、顧客が購入した全商品について商品コードの入力を完了すると、例えばキーボード１２の「合計」キーを押下することにより会計完了操作を行う。会計完了操作が行われると、顧客の携帯情報端末より取得された国番号から設定された言語でレシート４０がプリンター１７により印刷される。なお、本実施形態では、レシート印刷に用いることが可能な外国語を、例えば、英語、中国語、韓国語から選択できるものとしているが、これに限らず、必要性に応じて選択可能な言語を設定すればよい。
【００３０】
図２は、ＰＯＳ端末１０の構成をより詳細に示すブロック図である。同図に示すように、ＰＯＳ端末１０は、ＣＰＵ１１を備えている。ＣＰＵ１１には、上記したキーボード１２、ディスプレイ１３、バーコードスキャナー１４、キャッシュドロワー１５、携帯情報端末読み取り機１６、プリンター１７、カードリーダー１８が接続されている。ＣＰＵ１１は、メモリー２２に格納されたプログラム２４を実行することにより、上記各部１２〜１８を制御する。また、メモリー２２には、各種言語（本実施形態では、日本語、英語、中国語、韓国語等）の各文字のフォントデータ２６が格納されている。
【００３１】
ＣＰＵ１１には、インターフェイス２８を介して、店舗サーバー３０が接続されている。店舗サーバー３０が備えるデータベース３２には、商品マスターテーブル３４が記録されている。
【００３２】
図３は、商品マスターテーブル３４の一例を示す。同図に示すように、商品マスターテーブル３４には、各商品について、商品コード、日本語商品名、価格、および各言語での商品名が記録されている。店舗サーバー３０は、ＣＰＵ１１から商品コードおよび言語を指定した問合せを受けると、該当する商品名および価格をＣＰＵ１１に通知する。なお、商品マスターテーブル３４を店舗サーバー３０に設けることで、同一店舗内に設けられた複数のＰＯＳ端末１０から商品マスターテーブル３４を共有できるようにしている。ただし、ＰＯＳ端末１０内部に商品マスターテーブル３４を設ける構成としてもよい。
【００３３】
図４は、本実施形態のＰＯＳ端末１０の機能ブロック図である。同図に示すように、ＰＯＳ端末１０は、商品コード入力部５０、会計処理部５２、印刷データ作成部５４、印刷データ出力部５６、国番号読み取り部５８、言語設定部５９、および商品データ取得部６０の各機能部を備えている。これら機能部５０〜６０は、ＣＰＵ１１がプログラム２４を実行することにより実現される。
【００３４】
商品コード入力部５０は、キーボード１２あるいはバーコードスキャナー１４から入力された商品コードを取得する。また、国番号読み取り部５８は、携帯情報端末読み取り機１６にかざされた携帯情報端末から記録されている電話番号から国番号を読み取って、国番号読み取り部５８が読み取った国番号に基づいて、言語設定部５９は、レシート印刷に用いる言語（以下、レシート使用言語という）を設定する。会計処理部５２は、商品コード入力部５０が取得した商品コードに対応する商品名および商品価格を商品データ取得部６０に要求する。商品データ取得部６０は、かかる要求に応じて、言語設定部５９で選択されたレシート使用言語での商品名および商品価格を店舗サーバー３０から取得し、会計処理部５２へ通知する。会計処理部５２は、各商品の商品名および価格をタッチパネル付きディスプレイ１３に表示させながら、会計処理を行う。そして、会計処理が終了すると、印刷データ作成部５４がレシート使用言語での商品名を用いてレシート印刷用の印刷データを作成し、その印刷データを印刷データ出力部５６がプリンター１７へ出力する。
【００３５】
図５は、本実施形態においてＣＰＵ１１が実行する会計処理の内容を表すフローチャートである。店舗レジのオペレーターは、顧客から商品会計の要求を受けると、キーボード１２またはバーコードスキャナー１４により各商品の商品コードを入力し、さらに、同じ商品が複数ある場合はその個数をキーボード１２から入力する。ＣＰＵ１１は、商品コードおよび個数の入力を受け付けると（Ｓ１００）、後述する言語設定処理で設定されたレシート使用言語を判別する（Ｓ１０２）。そして、入力された商品コードについて、当該レシート使用言語での商品名と商品価格とを店舗サーバー３０から取得する（Ｓ１０４）。
【００３６】
次に、商品コードの入力が終了したか否かが判別される（Ｓ１０６）。例えば、キーボード１２の「合計」ボタンが押下された場合に、商品コードの入力が終了したと判別される。その結果、商品コードの入力が終了した場合には、商品価格の集計や税額の計算等の処理が行われたうえで（Ｓ１０８）、レシート印刷処理へ移る。一方、商品コードの入力が終了していない場合は、上記Ｓ１００に戻って、次の商品コード入力が受け付けられる。
【００３７】
図６は、本実施形態においてＣＰＵ１１が実行するレシート印刷処理の内容を表すフローチャートである。同図に示すように、先ず、上記会計処理で入力された各商品コードについて、レシート使用言語での商品名が店舗サーバー３０から取得される（Ｓ１２０）。なお、上記会計処理においてもレシート使用言語での商品名を取得している（Ｓ１０４）が、後述するように、レシート使用言語の選択は会計処理の実行中に行われるため、会計処理においてレシート使用言語の選択前に商品名が取得された商品については、選択されたレシート使用言語での商品名を取得することが必要である。そこで、Ｓ１２０において、改めてレシート使用言語での商品名を取得するようにしているが、少なくとも、レシート使用言語が選択される前に入力された商品コードについて商品名を取得すればよい。また、レシート使用言語が選択されなかった場合（つまり、レシート使用言語としてデフォルトの日本語が使用される場合）は、Ｓ１２０で商品名を取得する必要はない。
【００３８】
次に、上記のように取得した各商品のレシート使用言語での商品名、個数、および価格に含まれる各文字について、メモリー２２からフォントデータ２６が読み出され、それに基づいて、レシート印刷データが作成される（Ｓ１２２）。なお、レシートに印刷すべき商品名以外の文字（例えば、店舗名や「ご来店ありがとうございます」等の挨拶文）についても言語別にデータを用意しておき、レシート印刷データを作成する際に、レシート使用言語に該当するデータを用いるようにしてもよい。こうして作成したレシート印刷データがプリンター１７へ出力され（Ｓ１２４）、これに応じて、プリンター１７がレシートを印刷する。
【００３９】
図７、図８および図９は、各々、レシート使用言語が日本語、英語、日本語と英語の併記で印刷されたレシートの例を示す。図８および図９に示すように、商品名等が外国語（本例では英語）で印刷されることにより、日本語を理解できない外国人にもレシートの内容を把握することが可能となっている。
【００４０】
図１０は、本実施形態においてＣＰＵ１１が実行する言語設定処理の内容を表すフローチャートである。同図に示すように、先ず、上記の会計処理を実行中であるか否かが判別され（Ｓ１３０）、会計処理の実行中でなければ、言語設定処理に入ることなく処理は中止される。一方、会計処理の実行中であれば、レシート使用言語のデフォルト値として日本語が設定され（Ｓ１３２）、携帯情報端末読み取り機１６にかざされた携帯情報端末から記録されている電話番号から国番号を読み取って（Ｓ１３４）、言語設定部５９は、国番号読み取り部５８が読み取った国番号に基づいて、レシート印刷に用いる言語を設定する（Ｓ１３６）。設定された言語がレシート使用言語として決定され（Ｓ１３８）、言語設定処理は終了する。一方、言語が選択されていない場合は、上記Ｓ１３０へ戻る。
【００４１】
以上詳述したように、これらの実施形態によれば、以下に示す効果が得られる。
（１）本実施形態のＰＯＳ端末１０によれば、顧客が支払いに使用した携帯情報端末に記録されている電話番号の国番号から自動的に顧客の理解可能な言語でレシートを印刷することができる。このため、外国人のような日本語が分らない顧客に対して、その顧客が理解可能なレシートを発行することができる。したがって、本実施形態によれば、外国人顧客に対するサービスを向上して、顧客の満足度を高めることができる。
【００４２】
（２）レシート使用言語の設定は、自動で行われるので、レジのオペレーターが顧客にレシート使用言語を尋ねなくてもよい．このため、オペレーターが外国語を話せない場合にも、顧客に適合した言語のレシートを発行することができる。
【００４３】
（３）前記印刷データ作成部は、前記言語設定部で設定された言語と通常印刷言語と併記して印刷データを作成しても良い。ここで「通常印刷言語」とは、レシートデータ処理装置が使用される国、地域で通常使用されている言語のことである。レシートデータ処理装置が使用される国が日本であれば「日本語」が通常印刷言語となり、中国であれば「中国語」が通常印刷言語となる。尚、世界中で使われている全ての言語に対応した商品マスターテーブルを作成できれば理想であるが、運用上、非常に難しく、また一国内でも複数の言語を使用している国もあるので、その様な場合は、「英語」を選択する。
【００４４】
（４）本実施形態では、各言語の印刷に必要なフォントデータ２６をメモリー２２に記憶しておき、ＣＰＵ１１が印刷に必要なフォントデータ２６を読み出して印刷データを作成するようにしているので、プリンター１７側に言語毎のフォントデータを設けることが不要である。したがって、本実施形態によれば、プリンター１７として汎用的な機種を用いることができ、また、例えば、言語を追加する場合にもプリンター１７側に変更を加えることが不要であるなど、ＰＯＳ端末１０のシステムとしての柔軟性・拡張性を高めることが可能となっている。
【００４５】
（５）本発明によれば、顧客が店舗で商品を購入し、その支払いの手段として携帯電話を使用した際に、携帯情報端末に記録されている電話番号の国番号から自動的に顧客の理解可能な言語での商品名を用いてレシートを印刷することができる。このため、日本語が分らない顧客に対して、その顧客が理解できる言語のレシートを発行することが可能となる。
【符号の説明】
【００４６】
１０…ＰＯＳ端末、１１…ＣＰＵ、１２…キーボード、１４…バーコードスキャナー、１６…ＮＦＣ通信部、１７…プリンター、２２…メモリー、２４…プログラム、２６…フォントデータ、３０…店舗サーバー、３２…データベース、３４…商品マスターテーブル、５０…商品コード入力部、５２…会計処理部、５４…印刷データ作成部、５６…印刷データ出力部、５８…国番号読み取り部、５９…言語選択部、６０…商品データ取得部。
【図１】
2012208770.tif 000003
【図２】
2012208770.tif 000004
【図３】
2012208770.tif 000005
【図４】
2012208770.tif 000006
【図５】
2012208770.tif 000007
【図６】
2012208770.tif 000008
【図７】
2012208770.tif 000009
【図８】
2012208770.tif 000010
【図９】
2012208770.tif 000011
【図１０】
2012208770.tif 000012